(57)【特許請求の範囲】
【請求項１】
２個の平行に位置するフィルター部とこれらフィルター部のほぼ中央下方に位置する排気弁部をもつ半面形もしくは全面形マスク用のフードにおいて、２個のフィルター部に相当する位置にフィルター部をはめ込むための開口をもつ一体状の伸縮性シートが存在し、フード本体が柔軟なプラスチックシートによって構成されており、２個のフィルター部に相当する位置以外には開口が存在せず、排気弁部をフード内に収納した状態でマスクを使用できるように構成してなるマスク用フード。
【請求項２】
フード本体が２枚の透明で柔軟なプラスチックシートを袋状に貼り合せてつくられている請求項１記載のマスク用フード。
【発明の詳細な説明】
【０００１】
【発明の属する技術分野】
本発明はマスク用フードに関し、特に有毒化学物質を取り扱う場合の安全保護具のうち、顔面及び目等を防護する半面形もしくは全面形マスク用のフードに関する。
【０００２】
【従来の技術】
一般的に肺力式半面・全面形マスクにフィルター性能を有していない素材で構成されるフードを取り付ける場合は、マスクのフィルター部（吸気部）、排気弁部がフードに覆われないようにフードの該当個所に開口部を設け開口部を介してフィルター部と排気弁部をフードに接続する等の手段によって、吸気・排気がフードと装着者の空間を往き来できないような構造としている。
【０００３】
フード内の空間が吸気経路に使用された場合、有害物質が顔・目に接触し障害を及ぼす危険性があるため、通常は非通気性の素材を使用し、フード内の空間に外気が侵入しにくい構造を取っている。特にマスクの排気弁部をフード内空間に納めた場合、呼気によりフード内部に結露を生じ、曇りが発生し装着者の視野に多大な影響を及ぼしてしまうため、通常は排気が直接外気に放出されるような構造を取っている。
【０００４】
このような半面・全面形マスク用のフードは、吸気・排気経路をフード内部を経由せず直接外気と往き来させるため、フィルター（吸気部）と排気弁部（排気部）とフードの接続該当個所を的確に接続する必要があり、半面・全面形の区別だけでなく、半面・全面形マスクの製品毎の専用フードが必要となる。また、フード形状がマスクに適合させるため立体形状を保持したものがほとんどであり、収納性、携帯性に優れているとは言い難い。
【０００５】
一方、フィルター機能を有する素材を用いたフードの場合は、半面・全面形マスクと併用することにより、その防護能力は向上するが、ガス状有害物質を対象とした場合は活性炭繊維や微粉末状活性炭等の吸着剤をコーティングした素材でフードを構成する必要がある。このため、素材の厚みは非通気性素材と比較して嵩張りやすく保管には吸湿しないように十分な注意が必要となる。
【０００６】
【発明が解決しようとする課題】
本発明の目的は、携帯性及び保管性に優れ、取り扱いが容易であると共に、外気中の有毒化学物質により変質や損傷を受け易い排気弁部をフード内に収納して使用することによって外気による影響を受けないようにしながら、排気弁部がフード内に留まることが原因して装着者自身の呼気により装着者の視野に影響を与えるような曇りの発生を押さえることが可能な半面・全面マスク用フードを提供することにある。
【０００７】
【課題を解決するための手段】
本発明は、２個の平行に位置するフィルター部とこれらフィルター部のほぼ中央下方に位置する排気弁部をもつ半面形もしくは全面形マスク用のフードにおいて、２個のフィルター部に相当する位置にフィルター部をはめ込むための開口をもつ一体状の伸縮性シートが存在し、フード本体が柔軟なプラスチックシートによって構成されており、２個のフィルター部に相当する位置以外には開口が存在せず、排気弁部をフード内に収納した状態でマスクを使用できるように構成してなるマスク用フードである。
【０００８】
本発明のマスク用フードは、少なくとも装着者の視野相当部がプラスチック製シート等の透明部材からなることを要するが、主要部が透明で柔軟なプラスチックシートからなるものが好ましい。特に透明で柔軟性のあるプラスチックシート２枚を袋状に貼り合わせた構造のものは携帯性、保管性、経済性等に優れている点で好ましい。プラスチックシートとしてはエチレンプロピレンゴムシート等のオレフィン系共重合体シートが例示される。また主要部を透明性を問わない非通気性シートで構成し、アイピース部に透明素材を配したフードも用いうる。これらのフードは通常頭部から装着し、装着者の首部付近で絞ったり、ゴム等を首廻りに密着させ気密を保持する方式で用いられるような形状構造とされる。
【０００９】
本発明では、このようなフードを半面・全面マスクと併用する際に、外気中の有毒化学物質によって変質しやすい素材で一般に構成されている排気弁部をフード内に収納して使用する方式を採用する。このような方式を採用すべく検討したところ、半面・全面形マスクは排気弁部がマスクの下方に配置されている場合でも、排気弁部がフード内にある場合、装着者の呼気は下方に向かって排出されるがフードが首廻りで絞られているなど呼気経路が限られていると共にフード内の上部と下部が連通している構造となっているのでマスクとフードの間を通ってフード上部に流れ曇りが発生することが判明した。特にマスク前面を通ってフード上部に流れる呼気は装着者の視野範囲のフードに曇りを発生させ、視野に多大な影響を及ぼすことが判明した。
【００１０】
これに対し、マスクとして２個の平行に位置するフィルター部とこれらフィルター部のほぼ中央下方に位置する排気弁部をもつ半面形もしくは全面形マスクを用いると共に、２個のフィルター部に対応するフードの個所に、接続部材としてゴムシートによって代表される伸縮性シートを存在させることによって、マスク前面を通過する呼気の流れを阻止すれば装着者の視野への影響を極小化することができることを見出した。フード全体を伸縮性シートとすることも可能だが、２個のフィルター部に対応する個所に所定の大きさの伸縮性シートを貼り合わせることが好ましい。
【００１１】
図１はこの接続部材の一例を示す概略図である。この接続部材は２個の開口部をもつ一体形状のゴムシートからなることが好ましく、開口部を介してマスクのフィルター部をはめ込み、フードとマスクを接続する。
接続部材の接続用開口間隔は、一般的なマスクのフィルター間隔より小さく、設定することが好ましい。この場合、マスクにフードを取り付ける際に、接続部材を伸ばして接続する。
【００１２】
接続部材は伸縮性があるため、装着後に収縮し、マスク前面のフィルター間に張り付く形となり呼気の経路（フードとマスクの隙間）を塞ぐこととなる。また、フィルター間隔が大きく異なり接続部材の伸縮性でフードとマスクの間隙を塞ぎきれない場合には、接続部材裏側に独立気泡型のスポンジ等を張りつけるだけで同様の効果が期待できる。
【００１３】
本発明のフードとマスクを併用すると、マスク前面とフードの隙間が塞がれることにより、呼気はマスクの側面もしくはフード下方に流れるため、フードの視野範囲に流れる呼気は極小化され、その結果、視野範囲に作業や避難行動に影響する曇りが発生することがなくなる。
本発明のフード本体として２枚の柔軟なプラスチックシートを袋状に貼り合わせたものを用いる場合、折り畳みが容易であり携帯性に優れ、視野に影響する範囲での曇り具合が極めて小さく、作業や避難行動等に影響なく、さらに多くのマスクに適合しうるという多くの効果を示す。
【００１４】
【実施例】
実施例１：
２個の平行に位置するフィルター部とその中央下方に位置する排気弁部をもつ半面形マスクを装着した上から、図２に示す厚さ０．１ｍｍの透明シート、厚さ０．３ｍｍのネオプレンゴムの接続部材により構成したフード（図中１は接続部材、３は締め紐）と比較対象として接続部を用いない同形状の図３に示すフード（図中２はフィルター接続開口）を装着した場合の曇り発生の有無を観察した試験結果を表１に示す。
【００１５】
【表１】
0003809490.tif 000002
【００１６】
このことから、接続部材がフードの視野範囲の曇り防止に効果があることが確認された。
【００１７】
実施例２：
図４に示す厚さ０．５ｍｍの非通気性シート、アイピース、厚さ０．２ｍｍのエチレンプロピレンゴムシート製接続部材により構成したフードに実施例１と同様の半面マスク（図中４はアイピース）を取り付け１時間装着したが、アイピース部に曇りは発生せず、何ら支障無かった。
【００１８】
実施例３：
図５に示す厚さ０．２ｍｍの透明シート、厚さ０．３ｍｍのネオプレンゴムシート製接続部材により構成したフードに２個の平行に位置するフィルター部とその中央下方に位置する排気弁部をもつ全面マスクを取り付け１時間装着したが、アイピース部に曇りは発生せず、何ら支障無かった。
【図面の簡単な説明】
【図１】本発明のフードに接着して用いる接続部材を示す概略図。
【図２】本発明のフードの一例を示す概略図。
【図３】本発明の接続部材のない対照フードを示す概略図。
【図４】本発明のフードの一例を示す概略図。
【図５】本発明のフードの一例を示す概略図。
【符号の説明】
１    接続部材
２，２’  フィルター接続開口
３    締め紐
４    アイピース
【図１】
0003809490.tif 000003
【図２】
0003809490.tif 000004
【図３】
0003809490.tif 000005
【図４】
0003809490.tif 000006
【図５】
0003809490.tif 000007